(57)【要約】      （修正有）【課題】ユーザー認証のセキュリティ強度を向上させることが可能な携帯端末を用いた電子機器操作の制御方法及び携帯端末を提供する。【解決手段】携帯端末は、確認メッセージをバイオメトリクス認証装置から取得した場合、タッチスクリーンにおけるユーザーにより触れられた接触位置の移動方向を第１確認部へ送り、第１確認部は、接触位置の移動方向と予め定められた方向とが一致したか否かを判断し、携帯端末は、接触位置の移動方向と予め定められた方向との一致が第１確認部により判断された場合に、電子機器に操作コマンドを送信する。【選択図】図１
2016149133.tif 000002
【特許請求の範囲】
【請求項１】
タッチスクリーンを有し、バイオメトリクス認証装置との間でユーザー認証を行う携帯端末を用いた電子機器操作の制御方法において、
前記携帯端末は、前記携帯端末から入力されたユーザーの第１指紋画像と予め登録された認証画像とが一致することを示す確認メッセージを前記バイオメトリクス認証装置から取得した場合、前記タッチスクリーンにおける前記ユーザーにより触れられた接触位置の移動方向を第１確認部へ送り、
前記第１確認部は、前記接触位置の移動方向と予め定められた方向とが一致したか否かを判断し、
前記携帯端末は、前記接触位置の移動方向と予め定められた方向との一致が前記第１確認部により判断された場合に、前記電子機器に操作コマンドを送信する、携帯端末を用いた電子機器操作の制御方法。
【請求項２】
第２確認部が前記タッチスクリーンによって入力されたユーザーの第２指紋画像がプリセット画像と一致するか否かを判断し、
前記第１確認部は、前記第２指紋画像と前記プリセット画像との一致が前記第２確認部により判断された後に、前記接触位置の移動方向と予め定められた方向とが一致したか否かを判断する、請求項１に記載の携帯端末を用いた電子機器操作の制御方法。
【請求項３】
第３確認部は、前記接触位置の移動方向と予め定められた方向との一致が前記第１確認部により判断された後に、前記タッチスクリーンによって入力されたユーザーの第２指紋画像が前記タッチスクリーンにおける予め定められたエリアへ移動したか否かを判断する、請求項２に記載の携帯端末を用いた電子機器操作の制御方法。
【請求項４】
前記携帯端末は、前記バイオメトリクス認証装置に前記第１確認メーセージの要求を送る、請求項１から３のいずれか一項に記載の携帯端末を用いた電子機器操作の制御方法。
【請求項５】
前記携帯端末は、前記操作コマンドを前記電子機器へ送信する場合に、無線通信方式を用いる、請求項１から４のいずれか一項に記載の携帯端末を用いた電子機器操作の制御方法。
【請求項６】
タッチスクリーンを有し、バイオメトリクス認証装置との間でユーザー認証を行い、電子機器操作の制御に用いられる携帯端末において、
前記携帯端末は、当該携帯端末から入力されたユーザーの第１指紋画像と予め登録された認証画像とが一致することを示す確認メッセージを前記バイオメトリクス認証装置から取得し、
前記携帯端末は、前記確認メッセージを取得した場合、前記タッチスクリーンにおける前記ユーザーにより触れられた接触位置の移動方向を第１確認部へ送り、
前記携帯端末は、前記接触位置の移動方向と予め定められた方向との一致が前記第１確認部により判断された場合に、前記電子機器に操作コマンドを送信する、携帯端末。
【請求項７】
前記携帯端末は、前記タッチスクリーンによって入力されたユーザーの第２指紋画像とプリセット画像との一致を第２確認部により判断され、かつ、前記接触位置の移動方向と予め定められた方向との一致を前記第１確認部により判断された場合に、前記電子機器に操作コマンドを送信する、請求項６に記載の携帯端末。
【請求項８】
前記携帯端末は、前記接触位置の移動方向と予め定められた方向との一致を前記第１確認部により判断され、かつ、前記タッチスクリーンによって入力されたユーザーの第２指紋画像が前記タッチスクリーンにおける予め定められたエリアへ移動したことを第３確認部により判断された場合に、前記電子機器に操作コマンドを送信する、請求項７に記載の携帯端末。
【請求項９】
前記携帯端末は、前記バイオメトリクス認証装置に前記第１確認メッセージの要求を送る、請求項６から８のいずれか一項に記載の携帯端末。
【請求項１０】
前記携帯端末は、無線通信モジュールを介して、前記操作コマンドを前記電子機器へ送信する、請求項６から９のいずれか一項に記載の携帯端末。
【発明の詳細な説明】
【技術分野】
【０００１】
本発明は、携帯端末を用いた電子機器操作の制御方法及び携帯端末に関する。
【背景技術】
【０００２】
一般家庭では、例えばコンピュータ、テレビ、冷蔵庫、洗濯機、電子レンジ、給湯器などの様々な電子機器などを有している。電子機器を家電という場合がある。
【０００３】
伝統的な生活では、例えば、ユーザーは電子機器に近づいて電子機器を手動で操作して用いる。
【０００４】
スマートホーム理念の発展に伴い、携帯電話、タブレットＰＣ（Personal Computer）、ノートパソコンなどの携帯端末を用いて電子機器を遠隔操作することがますます普及する。
【０００５】
従来のユーザー認証方式では、認証されたユーザーが、携帯端末を用いて電子機器操作の制御をすることができる。
【発明の概要】
【発明が解決しようとする課題】
【０００６】
しかしながら、従来のユーザー認証方式は簡単すぎるため、ユーザー認証のセキュリティ強度が高くないという問題点があった。
【０００７】
本発明は、上記問題点に鑑みてなされたもので、ユーザー認証のセキュリティ強度を向上させることが可能な携帯端末を用いた電子機器操作の制御方法及び携帯端末を提供することを目的とする。
【課題を解決するための手段】
【０００８】
本発明に係る携帯端末を用いた電子機器操作の制御方法は、
タッチスクリーンを有し、バイオメトリクス認証装置との間でユーザー認証を行う携帯端末を用いた電子機器操作の制御方法において、
前記携帯端末は、前記携帯端末から入力されたユーザーの第１指紋画像と予め登録された認証画像とが一致することを示す確認メッセージを前記バイオメトリクス認証装置から取得した場合、前記タッチスクリーンにおける前記ユーザーにより触れられた接触位置の移動方向を第１確認部へ送り、
前記第１確認部は、前記接触位置の移動方向と予め定められた方向とが一致したか否かを判断し、
前記携帯端末は、前記接触位置の移動方向と予め定められた方向との一致が前記第１確認部により判断された場合に、前記電子機器に操作コマンドを送信する。
また、本発明に係る携帯端末を用いた電子機器操作の制御方法は、
第２確認部が前記タッチスクリーンによって入力されたユーザーの第２指紋画像がプリセット画像と一致するか否かを判断し、
前記第１確認部は、前記第２指紋画像と前記プリセット画像との一致が前記第２確認部により判断された後に、前記接触位置の移動方向と予め定められた方向とが一致したか否かを判断する。
さらに、本発明に係る携帯端末を用いた電子機器操作の制御方法は、
第３確認部は、前記接触位置の移動方向と予め定められた方向との一致が前記第１確認部により判断された後に、前記タッチスクリーンによって入力されたユーザーの第２指紋画像が前記タッチスクリーンにおける予め定められたエリアへ移動したか否かを判断する。
さらに、本発明に係る携帯端末を用いた電子機器操作の制御方法は、
前記携帯端末は、前記バイオメトリクス認証装置に前記第１確認メーセージの要求を送る。
さらに、本発明に係る携帯端末を用いた電子機器操作の制御方法は、
前記携帯端末は、前記操作コマンドを前記電子機器へ送信する場合に、無線通信方式を用いる。
【０００９】
本発明に係る携帯端末は、
タッチスクリーンを有し、バイオメトリクス認証装置との間でユーザー認証を行い、電子機器操作の制御に用いられる携帯端末において、
前記携帯端末は、当該携帯端末から入力されたユーザーの第１指紋画像と予め登録された認証画像とが一致することを示す確認メッセージを前記バイオメトリクス認証装置から取得し、
前記携帯端末は、前記確認メッセージを取得した場合、前記タッチスクリーンにおける前記ユーザーにより触れられた接触位置の移動方向を第１確認部へ送り、
前記携帯端末は、前記接触位置の移動方向と予め定められた方向との一致が前記第１確認部により判断された場合に、前記電子機器に操作コマンドを送信する。
また、本発明に係る携帯端末は、
前記携帯端末は、前記タッチスクリーンによって入力されたユーザーの第２指紋画像とプリセット画像との一致を第２確認部により判断され、かつ、前記接触位置の移動方向と予め定められた方向との一致を前記第１確認部により判断された場合に、前記電子機器に操作コマンドを送信する。
さらに、本発明に係る携帯端末は、
前記携帯端末は、前記接触位置の移動方向と予め定められた方向との一致を前記第１確認部により判断され、かつ、前記タッチスクリーンによって入力されたユーザーの第２指紋画像が前記タッチスクリーンにおける予め定められたエリアへ移動したことを第３確認部により判断された場合に、前記電子機器に操作コマンドを送信する。
さらに、本発明に係る携帯端末は、
前記携帯端末は、前記バイオメトリクス認証装置に前記第１確認メッセージの要求を送る。
さらに、本発明に係る携帯端末は、
前記携帯端末は、無線通信モジュールを介して、前記操作コマンドを前記電子機器へ送信する。
【発明の効果】
【００１０】
本発明によれば、ユーザー認証に、ユーザーの指紋画像としての第１指紋画像と、タッチスクリーンにおけるユーザーにより触れられた位置の移動方向としての第２指紋画像とを組み合わせたものが用いられる。これにより、従来のユーザー認証と比較して、ユーザー認証のセキュリティ強度を高くすることができる。
【図面の簡単な説明】
【００１１】
【図１】図１は、本発明の実施の形態に係る携帯端末を用いた電子機器操作の制御方法のフローチャートである。
【図２】図２は、本発明の実施の形態に係る携帯端末の構成図である。
【発明を実施するための最良の形態】
【００１２】
以下に、図面を参照にしながら本発明の好適な実施の形態を詳細に説明する。
【００１３】
スマートホームの発展に伴い、携帯電話、タブレットＰＣ、ノートパソコンなどの携帯端末２０（図２参照）は、ＬＡＮ（Local Area Network）で接続され、通信モジュールを取り付ける冷蔵庫、洗濯機、エアコン、テレビ、電子レンジ、給湯器などの電子機器と相互に通信を行う。なお、通信モジュールは、有線通信モジュールであっても無線通信モジュールであってもよい。
【００１４】
携帯端末２０を用いて電子機器操作の制御するときに、まずユーザーを認証し、ユーザー認証がされた場合、電子機器操作の制御を実行できる。ユーザー認証は、携帯端末２０によって行うことができる。
【００１５】
従来の技術では、ユーザー認証は、あまりにも簡単すぎるため、セキュリティ強度が高くない。したがって、従来、携帯端末を用いて電子機器操作の制御をするときの安全性を確保、保証することはできない。
【００１６】
携帯端末２０としては、携帯電話、タブレットＰＣ、ノートパソコン、ウェアラブルデバイス（例えば、スマートブレスレット、スマート腕時計、スマートストラップなどの通信モジュールを取り付ける機器）などである。
【００１７】
ユーザー認証には、バイオメトリクス認証装置（図示略）が用いられる。ユーザーの第１指紋画像は、バイオメトリクス認証装置に入力される。
【００１８】
バイオメトリクス認証装置は、ユーザーの第１指紋画像が予め登録された認証画像と一致したか否かを判断し、一致すると判断した場合に、確認メッセージを携帯端末２０に送信する。認証画像は、バイオメトリクス認証装置の記憶部に予め記憶される。ここでは、認証画像は指紋画像とする。
【００１９】
バイオメトリクス認証装置としては、例えば指紋読取装置でも、またはその他のユーザーの指紋画像を明確に識別可能なインテリジェント装置であってもよい。また、バイオメトリクス認証装置は、携帯端末２０の外部に単独で設けられる。なお、バイオメトリクス認証装置は、携帯端末２０に内蔵されてもよい。
【００２０】
バイオメトリクス認証装置に入力されるユーザーの第１指紋画像と、後述するタッチスクリーン２４によって入力されるユーザーの第２指紋画像は、それぞれ同一または異なってもよい。例えば、指紋読取装置が携帯端末２０の外に単独で設けられる場合に、第１指紋画像と第２指紋画像は異なってもよい。携帯端末２０の外に設けられた指紋読取装置は携帯端末２０と通信を行う。一方で、例えば、バイオメトリクス認証装置としての指紋読取装置が携帯端末２０に内蔵される場合に、第1指紋画像と第２指紋画像は同一でもよい。
【００２１】
図２は、本発明の実施の形態に係る携帯端末２０の構成図である。
図２に示すように、携帯端末２０は、取得部２１、第１確認部２２、送信部２３、および、タッチスクリーン２４を有する。
【００２２】
携帯端末２０は、タッチスクリーン２４によって入力されたユーザーの第２指紋画像を検出する。第２指紋画像が入力されるタッチスクリーン２４の所定位置は、例えば、タッチスクリーンにおける左上部、右下部、右上部、左下部または中央部などの任意の位置に設けられる。
【００２３】
また、携帯端末２０は、タッチスクリーン２４におけるユーザーにより触れられた接触位置を検出する。
【００２４】
取得部２１は、バイオメトリクス認証装置から送信された確認メッセージを取得する。
【００２５】
第１確認部２２は、タッチスクリーン２４におけるユーザーにより触れられた接触位置の移動方向と所定方向とが一致するか否かを判断し、判断結果を携帯端末２０に出力する。両方向が一致すると第１認証部２２により判断された場合、ユーザー認証がされ、両方向が一致すると第１認証部２２により判断されない場合、ユーザー認証がされない。
【００２６】
所定方向は、例えば、左から右へ、右から左へ、上から下へ、下から上へ、またはタッチスクリーン対角線の方向に沿って、または折れ線方向、曲線の方向などである。所定方向は、ユーザーにより設定され、携帯端末２０の記憶部に記憶されている。
【００２７】
携帯端末２０は、接触位置の移動方向と所定方向とが一致し、かつ、第２指紋画像がプリセット画像と一致すると第１確認部２２により判断された場合、操作コマンドを送信部２３から電子機器に送信する。具体的には、携帯端末２０は、無線通信の方式によって操作コマンドを電子機器へ送信する。なお、携帯端末２０は、有線通信の方式を用いて操作コマンドを電子機器へ送信してもよい。さらに、携帯端末２０は、無線通信および有線通信の両方式を有し、いずれかを選択的に用いて電子機器へ送信してもよい。電子機器は、操作コマンドに従って操作される。操作コマンドは、読み取りまたは取得可能な電子機器の操作情報であって、電子機器の起動、一時停止、起動終了などが含まれる。
【００２８】
携帯端末２０を用いて操作される電子機器としては、洗濯機、エアコン、テレビ、電子レンジ、給湯器などのうちの一つまたは複数である。
【００２９】
図１は、本発明の実施の形態に係る携帯端末２０を用いた電子機器操作の制御方法のフローチャートである。本実施の形態におけるユーザー認証方法は以下のステップを含む。本フローの処理は、バイオメトリクス認証装置によるユーザーの第１指紋画像の入力により開始される。
【００３０】
ステップＳ１２において、取得部２１は、バイオメトリクス認証装置から送信された確認メッセージを取得する。
【００３１】
ステップＳ１４において、第１確認部２２は、タッチスクリーン２４におけるユーザーにより触れられた接触位置の移動方向が所定方向と一致するか否かを判断し、判断結果を携帯端末２０に出力する。
【００３２】
ステップＳ１６において、携帯端末２０は、接触位置の移動方向と所定方向との一致が第1認証部２２により判断された場合、送信部２３から操作コマンドを電子機器へ送信する。これにより、電子機器が該操作コマンドに従って操作される。
【００３３】
具体的には、携帯端末２０としての携帯電話に洗濯機関連の情報を登録し、かつ、携帯電話のタッチスクリーン２４の所定位置に洗濯機の画面を表示する。携帯電話はタッチスクリーン２４における入力されたユーザーの第２指紋画像を取得する。携帯電話は、第２指紋画像が所定位置にあることを検出した場合に、携帯電話から洗濯機に操作コマンドを送信する。
【００３４】
本発明の実施形態に係る携帯端末２０とバイオメトリクス認証装置との間で行われるユーザー認証によれば、まずバイオメトリクス認証装置によりユーザーの第1指紋画像と認証画像とが一致するか否かの確認、並びに、ユーザーの第２指紋画像において携帯端末２０のタッチスクリーン２４の移動方向が所定方向と一致するか否かをの確認との両者を組み合わせたハイブリッド方式が用いられる。これにより、従来のユーザー認証と比べて、セキュリティ強度を高くすることができる。したがって、携帯端末２０を用いて電子機器操作の制御をする場合、従来技術よりも安全である。
【００３５】
（変形例１）
次に、本実施の形態の変形例1について説明する。変形例１に係る携帯端末２０を用いて電子機器操作の制御をするシステムの構成は、上記実施の形態の構成と基本的には同じであるため、以下の変形例１の説明においては、上記実施の形態の構成と異なる点について説明し、同じ構成については省略する。
【００３６】
上記実施の形態では、ステップＳ１２において、取得部２１がバイオメトリクス認証装置から送信された確認メッセージを取得した。
【００３７】
これに対し、変形例１では、取得部２１がバイオメトリクス認証装置から送信された確認メッセージを取得するステップＳ１２の前に、携帯端末２０は、バイオメトリクス認証装置へユーザー認証の要求メッセージを送信する。なお、携帯端末２０は、ユーザー認証に必要なコマンドを受信した後、バイオメトリクス認証装置へユーザー認証の要求メッセージを送信するようにしてもよい。
【００３８】
したがって、変形例１に係るユーザー認証処理は、携帯端末２０がバイオメトリクス認証装置へユーザー認証の要求メッセージを送信することにより開始される。
【００３９】
（変形例２）
次に、本実施の形態の変形例２について説明する。変形例２に係る携帯端末２０を用いて電子機器操作の制御をするシステムの構成は、上記実施の形態の構成と基本的には同じであるため、以下の変形例２の説明においては、上記実施の形態の構成と異なる点について説明し、同じ構成については省略する。
【００４０】
上記実施の形態では、ステップＳ１２で、取得部２１がバイオメトリクス認証装置から送信された確認メッセージを取得すると、ステップＳ１４で、第１確認部２２がタッチスクリーン２４におけるユーザーにより触れられた接触位置の移動方向と所定方向とが一致するか否かを判断した。
【００４１】
これに対し、変形例２では、第１確認部２２が接触位置の移動方向と所定方向とが一致するか否かを判断する前に、第２確認部（図示略）は、ユーザーの第２指紋画像とプリセット画像とが一致するか否かを判断し、判断結果を携帯端末２０に出力する。
【００４２】
第２指紋画像は、ユーザーがタッチスクリーン２４によって入力される。携帯端末２０にプリセット画像を予め記憶する。なお、プリセット画像は指紋画像であってもよい。
【００４３】
携帯端末２０は、第２指紋画像とプリセット画像との一致が第２確認部により判断された場合に、以降の認証処理を行い、第２指紋画像とプリセット画像との一致が第２認証部により判断されない場合に、以降の認証処理を停止する。
【００４４】
これにより、非特権ユーザーとしての携帯端末２０を用いた電子機器操作の制御が免れ、ユーザー認証のセキュリティをさらに強化することができる。
【００４５】
（変形例３）
次に、本実施の形態の変形例３について説明する。変形例３に係る携帯端末２０を用いて電子機器操作の制御をするシステムの構成は、上記実施の形態の構成と基本的には同じであるため、以下の変形例３の説明においては、上記実施の形態の構成と異なる点について説明し、同じ構成については省略する。
【００４６】
上記実施の形態では、ステップＳ１４で、第１確認部２２が接触位置の移動方向と所定方向とが一致するか否かを判断し、両者が一致すると判断した場合、ステップＳ１６で、携帯端末２０は、送信部２３から操作コマンドを電子機器へ送信した。
【００４７】
これに対し、変形例３では、第１確認部２２が接触位置の移動方向と所定方向とが一致するか否かを判断した後に、第３確認部（図示略）は、タッチスクリーン２４によって入力されたユーザーの第２指紋画像がタッチスクリーン２４における予め定められたエリア（予定エリア）へ移動したか否かを確認し、確認結果を携帯端末２０に出力する。
【００４８】
例えば、予定エリアはタッチスクリーン２４の右縁に設けられる。第２指紋画像が最初の位置からタッチスクリーン２４の右縁に移動された場合に、ユーザー認証がされる。第２指紋画像がタッチスクリーン２４の右縁に移動されない場合に、ユーザー認証がされない。
【００４９】
携帯端末２０は、第２指紋画像が予定エリアに移動したことの第２確認部からの確認結果を受けた場合、携帯端末２０を用いて電子機器に操作コマンドを送信することができる。一方、携帯端末２０は、第２指紋画像が予定エリアに移動したことの第２確認部からの確認結果を受けない場合、携帯端末２０を用いて、電子機器に操作コマンドを送信することができない。
【００５０】
変形例３の構成によれば、接触位置の移動方向と所定方向とが一致するとの第１確認部２２による判断がされ、かつ、第２指紋画像が予定エリアに移動したことの第２確認部による判断がされた場合、携帯端末２０を用いて操作コマンドを電子機器に送信することができるため、認証処理のセキュリティを向上させることができる。
【００５１】
本実施の形態は、何れも本発明の実施するにあたっての具体化の一例を示したものに過ぎず、本発明は、その要旨、またはその主要な特徴から逸脱することなく、様々な形で実施することができる。
【符号の説明】
【００５２】
２０  携帯端末
２１  取得部
２２  第１確認部
２３  送信部
２４  タッチスクリーン
【図１】
2016149133.tif 000003
【図２】
2016149133.tif 000004